(57)【特許請求の範囲】
【請求項１】
回転操作によって回転する駆動側回転体が柄の基端側に取り付けられ、締結部材を拘持するソケットを有する従動側回転体が柄の先端側に取り付けられ、両回転体に無端環状体が架け渡され、駆動側回転体の回転力が無端環状体によって従動側回転体に伝達されることで、ソケットが回転するようにしたソケット回転レンチであって、
前記柄が駆動側回転体を取り付けた基端側柄と従動側回転体を取り付けた先端側柄とに分割され、かつ、先端側柄が自己の軸周りに回転可能なように基端側柄に連結され、
前記無端環状体を挿通し、かつ、弾性変形可能とされた筒状のグリップ部が前記基端側柄に取り付けられていることを特徴とするソケット回転レンチ。
【請求項２】
前記先端側柄は、基端側柄の方へ延びるハンドル部を備えていることを特徴とする請求項１に記載のソケット回転レンチ。
【請求項３】
先端側に二股の連結用切欠部を形成し、基端側に軸穴を形成した延長用柄が前記基端側柄に着脱自在に継ぎ足され、基端側柄の基端部に取り付けられていた駆動側回転体が基端側柄と延長用柄とを連結する中間回転体に転換され、前記延長用柄の軸穴に前記駆動側回転体が取り付けられ、該延長用柄に取り付けられた駆動側回転体と中間回転体とに延長用無端環状体が架け渡されていることを特徴とする請求項１又は２に記載のソケット回転レンチ。
【請求項４】
回転操作によって回転する駆動側回転体が柄の基端側に取り付けられ、締結部材を拘持するソケットを有する従動側回転体が柄の先端側に取り付けられ、両回転体に無端環状体が架け渡され、駆動側回転体の回転力が無端環状体によって従動側回転体に伝達されることで、ソケットが回転するようにしたソケット回転レンチであって、
前記柄が駆動側回転体を取り付けた基端側柄と従動側回転体を取り付けた先端側柄とに分割され、かつ、先端側柄が自己の軸周りに回転可能なように基端側柄に連結され、
前記駆動側回転体は、前記基端側柄に着脱自在とされ、前記無端環状体は、前記両回転体に着脱自在に架け渡され、前記基端側柄の基端部と延長用柄の先端部とが連結具によって連結され、延長用柄の基端側に前記駆動側回転体が取り付けられ、該駆動側回転体と前記従動側回転体とに１本の無端環状体が架け渡されていることを特徴とするソケット回転レンチ。
【請求項５】
前記先端側柄は、基端側柄の方へ延びるハンドル部を備えていることを特徴とする請求項４に記載のソケット回転レンチ。
【請求項６】
先端側に二股の連結用切欠部を形成し、基端側に軸穴を形成した延長用柄が前記基端側柄に着脱自在に継ぎ足され、基端側柄の基端部に取り付けられていた駆動側回転体が基端側柄と延長用柄とを連結する中間回転体に転換され、前記延長用柄の軸穴に前記駆動側回転体が取り付けられ、該延長用柄に取り付けられた駆動側回転体と中間回転体とに延長用無端環状体が架け渡されていることを特徴とする請求項４又は５に記載のソケット回転レンチ。
【発明の詳細な説明】
【技術分野】
【０００１】
本発明は、ボルトの頭部やナットなどの締結部材をソケットが拘持し、このソケットを遠隔操作によって回すことができるようにしたソケット回転レンチに関する。
【背景技術】
【０００２】
例えば、変電所に設置されている操作箱内の機構部を分解して点検するに際して、奥まって狭隘な部位に締結されたボルトとナットとを緩めたり締めたりする作業が行われる。そして、作業者が無理な姿勢で手を伸ばして作業することにより、ボルトが斜め向きでナットに嵌められることがある。このような状態でレンチによってボルトとナットとを締結すると、ネジ山が破損してしまう。
【０００３】
そこで、ボルトとナットの締結箇所から離れた位置でボルト又はナットの仮締付けを容易に行うことができるようにしたボルト又はナットの締緩用工具が特許文献１に記載されている。このボルト又はナットの締緩用工具は、締緩すべきボルト又はナットに嵌合する嵌合部を備えた回転部と、この回転部を支持するアーム部と、回転部を駆動する牽引部材とを備えている。
【０００４】
回転部は、アーム部の先端に支持される回転自在のプーリーを備えている。また、嵌合部は、ボルト又はナットに嵌合するソケットと、ソケットを着脱自在に保持し、かつ、プーリーの回転軸線上に固定された差込角とを備えている。
【０００５】
また、アーム部は、回転部の回転軸の向きを変更できるように、屈曲性と弾力性とを有するフレキシブルチューブで形成されている。また、牽引部材は、柔軟なワイヤーであり、先端部がプーリーに巻き付けられ、中間部がアーム部内を挿通し、基端部がアーム部の基端部から導出している。
【０００６】
牽引部材の先端部がプーリーに巻き付けられ、牽引部材の基端部が引っ張られると、プーリーとともにソケットが回転する。牽引部材の先端部をプーリーに巻き付ける方向を右巻き又は左巻きとすることで、ボルト又はナットを締付け、又は緩めることができる。
【０００７】
また、特許文献２には、長ボルトに装着されたナットを効率よく仮締めすることができるようにした電動式ナット回し工具が記載されている。この工具は、上下一対の固定基板の間に、駆動側プーリーとソケット付きプーリーとを間隔を空けて回転自在に設け、両プーリーに無端ベルトを連結している。そして、この電動式ナット回し工具は、ソケット付きプーリーにナットを嵌合し、駆動側プーリーに電動回転工具を固定して操作することで、ソケット付きプーリーに嵌合したナットを回転させる。
【先行技術文献】
【特許文献】
【０００８】
【特許文献１】特開２００９−１１３１９１号公報
【特許文献２】特開２０００−１０８０４１号公報
【発明の概要】
【発明が解決しようとする課題】
【０００９】
特許文献１に記載されたボルト又はナットの締緩用工具は、アーム部がフレキシブルチューブで形成されていることにより、ボルト又はナットの軸心とずれた方向から仮締付けを行う場合であっても、プーリーの回転軸の向きを変更してボルト又はナットと嵌合部との軸芯を合わせることができる。
【００１０】
しかし、この軸芯を合わせるためには、アーム部を予め屈曲させておかなければならない。すなわち、作業者が軸芯を合わせるように見当を付けてアーム部を屈曲し、軸芯が合っていなければ、アーム部を屈曲しなおさなければならない。要するに、このボルト又はナットの締緩用工具は、ボルト又はナットと嵌合部との軸芯を合わせにくいものとなっている。
【００１１】
また、特許文献２に記載された電動式ナット回し工具は、上下一対の固定基板の間に一対のプーリーが設けられているため、ナットの向きにソケット付きプーリーを一致させると、駆動側プーリーの向きも変えられてしまい、操作しにくくなる場合がある。さらに、固定基板は、屈曲しないため、ソケット付きプーリーと駆動側プーリーとを異なる向きにすることができない。
【００１２】
そこで、本発明は、ボルトの頭部やナットなどの締結部材を遠隔操作によって締めたり緩めたりするソケットを備え、そのソケットの向きも遠隔操作によって変更することができるようにしたソケット回転レンチを提供することを課題とする。
【課題を解決するための手段】
【００１３】
本発明に係るソケット回転レンチは、回転操作によって回転する駆動側回転体が柄の基端側に取り付けられ、締結部材を拘持するソケットを有する従動側回転体が柄の先端側に取り付けられ、両回転体に無端環状体が架け渡され、駆動側回転体の回転力が無端環状体によって従動側回転体に伝達されることで、ソケットが回転するようにしたソケット回転レンチであって、前記柄が駆動側回転体を取り付けた基端側柄と従動側回転体を取り付けた先端側柄とに分割され、かつ、先端側柄が自己の軸周りに回転可能なように基端側柄に連結され、前記無端環状体を挿通し、かつ、弾性変形可能とされた筒状のグリップ部が前記基端側柄に取り付けられていることを特徴としている。
【００１４】
このソケット回転レンチによれば、柄が基端側柄と先端側柄とに分割され、かつ、先端側柄が自己の軸周りに回転可能なように基端側柄に連結されていることにより、作業者が一方の手で基端側柄を保持し、他方の手で先端側柄を自己の軸周りに回転する（回す）ことで、ソケットの向きをボルトの頭部やナットなどの締結部材に向くように変更することができる。そして、このソケット回転レンチは、先端側柄が自己の軸周りに回転しても、無端環状体が駆動側回転体と従動側回転体とに捩（よじ）れた状態で架け渡される状態となり、駆動側回転体の回転操作による回転力が従動側回転体に伝達され、ソケットが回転するようにすることができる。
また、このソケット回転レンチによれば、作業者がグリップ部を軽く握ることで筒状とし、無端環状体が筒状のグリップ部内を挿通して周回（両プーリー間を環状に進行）できるようにし、作業者がグリップ部を強く握ることでグリップ部を扁平状に変形（径方向に圧潰）させ、グリップ部が無端環状体を押さえるようにして、停止させることができる。
【００１５】
また、本発明に係るソケット回転レンチにおいて、前記先端側柄は、基端側柄の方へ延びるハンドル部を備えていることが好ましい。
【００１６】
このソケット回転レンチによれば、先端側柄が基端側柄の方に延びるハンドル部を備えていることにより、作業者はハンドル部を手元で掴み、作業者の手元での操作によって先端側柄を回すことができる。
【００１７】
また、本発明に係るソケット回転レンチにおいて、先端側に二股の連結用切欠部を形成し、基端側に軸穴を形成した延長用柄が前記基端側柄に着脱自在に継ぎ足され、基端側柄の基端部に取り付けられていた駆動側回転体が基端側柄と延長用柄とを連結する中間回転体に転換され、前記延長用柄の軸穴に前記駆動側回転体が取り付けられ、該延長用柄に取り付けられた駆動側回転体と中間回転体とに延長用無端環状体が架け渡されていることが好ましい。
【００１８】
このソケット回転レンチによれば、前記本発明に係るソケット回転レンチの基端側柄に延長用柄を継ぎ足して使用することができるため、さらに奥まった位置に締結された締結部材についても、遠隔操作によって締めたり緩めたりすることができる。そして、延長用柄の先端側に二股の連結用切欠部が形成されていることにより、延長用柄を基端側柄に挟むようにして、容易に着脱することができる。さらに、延長用柄を継ぎ足して使用しない場合は、中間回転体を駆動側回転体として使用することができる。
【００１９】
本発明に係るソケット回転レンチは、回転操作によって回転する駆動側回転体が柄の基端側に取り付けられ、締結部材を拘持するソケットを有する従動側回転体が柄の先端側に取り付けられ、両回転体に無端環状体が架け渡され、駆動側回転体の回転力が無端環状体によって従動側回転体に伝達されることで、ソケットが回転するようにしたソケット回転レンチであって、前記柄が駆動側回転体を取り付けた基端側柄と従動側回転体を取り付けた先端側柄とに分割され、かつ、先端側柄が自己の軸周りに回転可能なように基端側柄に連結され、前記駆動側回転体は、前記基端側柄に着脱自在とされ、前記無端環状体は、前記両回転体に着脱自在に架け渡され、前記基端側柄の基端部と延長用柄の先端部とが連結具によって連結され、延長用柄の基端側に前記駆動側回転体が取り付けられ、該駆動側回転体と前記従動側回転体とに１本の無端環状体が架け渡されていることを特徴とする。
【００２０】
このソケット回転レンチによれば、柄が基端側柄と先端側柄とに分割され、かつ、先端
側柄が自己の軸周りに回転可能なように基端側柄に連結されていることにより、作業者が
一方の手で基端側柄を保持し、他方の手で先端側柄を自己の軸周りに回転する（回す）こ
とで、ソケットの向きをボルトの頭部やナットなどの締結部材に向くように変更すること
ができる。そして、このソケット回転レンチは、先端側柄が自己の軸周りに回転しても、
無端環状体が駆動側回転体と従動側回転体とに捩（よじ）れた状態で架け渡される状態と
なり、駆動側回転体の回転操作による回転力が従動側回転体に伝達され、ソケットが回転
するようにすることができる。
また、このソケット回転レンチによれば、駆動側回転体を基端側柄から外し、延長用柄の先端部を基端側柄の基端部に重ね合わせ、駆動側回転体が取り付けられていた基端側柄の部分を利用して延長用柄に連結具を取り付けるようにして、延長用柄を継ぎ足し、延長用柄の基端部に駆動側回転体を取り付け、継ぎ足された延長用柄の長さに合わせて、無端環状体を交換して使用する。
【００２１】
また、本発明に係るソケット回転レンチにおいて、前記先端側柄は、基端側柄の方へ延びるハンドル部を備えていることが好ましい。
このソケット回転レンチによれば、先端側柄が基端側柄の方に延びるハンドル部を備えていることにより、作業者はハンドル部を手元で掴み、作業者の手元での操作によって先端側柄を回すことができる。
【００２２】
また、本発明に係るソケット回転レンチにおいて、先端側に二股の連結用切欠部を形成し、基端側に軸穴を形成した延長用柄が前記基端側柄に着脱自在に継ぎ足され、基端側柄の基端部に取り付けられていた駆動側回転体が基端側柄と延長用柄とを連結する中間回転体に転換され、前記延長用柄の軸穴に前記駆動側回転体が取り付けられ、該延長用柄に取り付けられた駆動側回転体と中間回転体とに延長用無端環状体が架け渡されていることが好ましい。
このソケット回転レンチによれば、前記本発明に係るソケット回転レンチの基端側柄に延長用柄を継ぎ足して使用することができるため、さらに奥まった位置に締結された締結部材についても、遠隔操作によって締めたり緩めたりすることができる。そして、延長用柄の先端側に二股の連結用切欠部が形成されていることにより、延長用柄を基端側柄に挟むようにして、容易に着脱することができる。さらに、延長用柄を継ぎ足して使用しない場合は、中間回転体を駆動側回転体として使用することができる。
【発明の効果】
【００２３】
本発明によれば、柄が駆動側回転体を取り付けた基端側柄と従動側回転体を取り付けた先端側柄とに分割され、かつ、先端側柄が自己の軸周りに回転可能なように基端側柄に連結されたソケット回転レンチが提供されることにより、遠隔操作によって締結部材を締めたり緩めたりする際に、ソケットの向きを締結部材の方に向けることができ、作業性を向上させることができる。
【図面の簡単な説明】
【００２４】
【図１】本発明に係るソケット回転レンチの第１の実施形態を示す概略斜視図である。
【図２】本発明に係るソケット回転レンチの第１の実施形態を示し、（ａ）は平面図、（ｂ）は正面図、（ｃ）は底面図である。
【図３】本発明に係るソケット回転レンチの第１の実施形態を示し、（ａ）は基本的な姿勢の概略側面図、（ｂ）（ｃ）は異なる方向に傾斜した姿勢の概略側面図である。
【図４】本発明に係るソケット回転レンチの第２の実施形態を示す概略斜視図である。
【図５】本発明に係るソケット回転レンチの第２の実施形態を示し、（ａ）は一部を破断した平面図、（ｂ）は一部を破断した正面図、（ｃ）は一部を破断した底面図である。
【図６】本発明に係るソケット回転レンチの第３の実施形態を示す概略斜視図である。
【発明を実施するための形態】
【００２５】
〔第１の実施形態〕
本発明に係るソケット回転レンチの第１の実施形態について図１ないし図３を参照しながら説明する。第１の実施形態のソケット回転レンチは、ボルトの頭部やナットなどの締結部材（図示せず）を遠隔操作によって軽く（弱く）締めたり緩めたりするため、回転操作によって回転する駆動側回転体２０が柄１０の基端側に取り付けられ、締結部材を拘持するソケット３７を有する従動側回転体３０が柄１０の先端側に取り付けられ、両回転体２０，３０に無端環状体４０が架け渡された構成となっている。
【００２６】
そして、このソケット回転レンチは、柄１０を基端側柄１２と先端側柄１３とに分割し、かつ、先端側柄１３が自己（１３）の軸周りに回転可能なように基端側柄１２に連結されたことを特徴としている。基端側柄１２は、扁平なスティック状で、基端部に駆動側回転体２０を取り付けている。基端側柄１２の基端部には軸穴（図示せず）が形成され、駆動側回転体２０は、この軸穴を貫通する軸２１と、この軸２１の一端（図面では下端）側に固定されたプーリー（以下、「駆動側プーリー」という。）２２と、この軸２１の他端（図面では上端）側に固定された摘み部２３とを備えている。
【００２７】
図示した軸２１と摘み部２３とは、一体の蝶ボルトであり、先端部に袋ナットなどのナット２４が締められることで、軸穴に着脱できるようにされている。また、軸２１が軸方向（図面において上下方向）に移動せず、かつ、軸２１が周方向に回転することができるように軸２１を固定するためのロックナット２５が軸２１の中間部に固定され、このロックナット２５と摘み部２３とが基端側柄１２を挟むようにされている。そして、軸２１と駆動側プーリー２２とは固定され、摘み部２３が捻られる（回転操作される）と、軸２１が周方向に回転し、連動して駆動側プーリー２２が回転する。
【００２８】
また、駆動側プーリー２２は、基端側柄１２の片面（図面では下面）側に配置され、摘み部２３は基端側柄１２の他面（図面では上面）側に配置されている。なお、摘み部２３は、図示したような一対の翼部を有するタイプに限定せず、図示しないが、外周面にロール目を入れた円柱体、円盤などによって構成してもよい。
【００２９】
そして、先端側柄１３は、長尺で扁平なスティック状の先端側柄本体１３ａと、この先端側柄本体１３ａの先端部に着脱自在に取り付けられる扁平なスティック状のアタッチメント１３ｂとを組み合わせたものとされている。先端側柄本体１３ａの先端部には、先端側柄本体１３ａの長さ方向に２個の連通穴（図示せず）が形成されている。また、アタッチメント１３ｂには、長さ方向に２個の連通穴と１個の軸穴（ともに図示せず）とが形成されている。
【００３０】
そして、先端側柄本体１３ａの２個の連通穴とアタッチメント１３ｂの２個の連通穴とが連続するように先端側柄本体１３ａの先端部とアタッチメント１３ｂとが重ね合わされ、両連通穴にボルト１４ａ，１５ａが通され、ナット１４ｂ，１５ｂによって締結される。アタッチメント１３ｂは、２本のボルト及びナットによって先端側柄本体１３ａに取り付けられることによって、首振り状態となることなく、先端側柄本体１３ａと同一方向を向くように規制される。
【００３１】
なお、先端側柄本体１３ａからアタッチメント１３ｂの方に向かう爪、又はアタッチメント１３ｂから先端側本体の方に向かう爪の一方又は両方を設け、連通穴を１個ずつ先端側柄本体１３ａとアタッチメント１３ｂに設けることにより、１本のボルト及びナットだけでも、アタッチメント１３ｂが首振りとならないようにすることができる。
【００３２】
また、アタッチメント１３ｂの軸穴は、先端側柄本体１３ａの先端縁から突出した位置にあり、従動側回転体３０が取り付けられる。従動側回転体３０は、この軸穴を貫通する軸３１と、この軸３１の一端（図面では下端）側に固定されたプーリー（以下、「従動側プーリー」という。）３２と、アタッチメント１３ｂを両面（図面では上下面）から挟む一対（２個）のナット３３，３４と、軸３１の他端（図面では上端）側に固定されたブッシュ３５及び摘み部３６とを備えている。
【００３３】
そして、この軸３１の一端にソケット３７が固定されている。ソケット３７は、ボルトの頭部やナットを嵌め込みやすいように多数の溝を長さ方向に形成した有底筒状の凹部３７ａを有している。このソケット３７は、従動側プーリー３２の周方向の回転に追従して回転する。
【００３４】
すなわち、駆動側プーリー２２と従動側プーリー３２とに無端環状体４０が架け渡され、駆動側プーリー２２が回転することで、無端環状体４０が周回（環状に進行）し、従動側プーリー３２が回転し、そして、ソケット３７が回転する。無端環状体４０は、例えばゴムで構成され、テンションを掛けた状態で両プーリー２２，３２に架け渡されることで、駆動側プーリー２２の回転力を滑ることなく従動側プーリー３２に伝達する。ただし、無端環状体４０は、無端のロープや無端のワイヤーなどで構成してもよい。
【００３５】
いずれにしても、駆動側プーリー２２は、従動側プーリー３２よりも大径とされ、駆動側プーリー２２が１回転すると、従動側プーリー３２が１回転以上回転するようにされている。ただし、駆動側プーリー２２と従動側プーリー３２とは同一の径としてもよい。
【００３６】
このような無端環状体４０は、基端側柄１２の片面（図面では下面）に固定された筒状のグリップ部５０に挿通される。作業者がグリップ部５０を軽く掴むことによって、グリップ部５０が筒状を維持し、無端環状体４０は作業者の手などに接触することなく周回する。また、グリップ部５０は、弾性変形可能とされており、強く握られると、扁平状に変形（径方向に圧潰）し、無端環状体４０を押さえることができるようにされている。
【００３７】
そして、先端側柄本体１３ａと基端側柄１２とが対向する各端面が連結軸１１によって連結され、先端側柄１３が自己（１３）の軸周りに回転できるようにされている。作業者の手元で先端側柄１３を回転させることができるようにするため、先端側柄本体１３ａには、基端側から基端側柄１２の方に延出させたハンドル部１６が設けられている。ハンドル部１６は、図示したように、基端側柄１２を囲む筒体とするほか、単なる１本の棒や複数本の棒など任意の形態を取ることができる。
【００３８】
このソケット回転レンチは、以上のように構成され、次に、使用方法について説明する。通常は、先端側柄１３が基端側柄１２に対して、回転していない同一方向とされ、ソケット３７は図３（ａ）に示すように、基端側柄１２に対して直角（図面において下向き）の姿勢となっている。
【００３９】
そして、作業者がグリップ部５０を軽く掴み、奥まった狭隘な部位に締結された締結部材にソケット３７を近づける。ソケット３７の向きが締結部材と一致しているときは、そのままソケット３７の凹部３７ａを締結部材に嵌める、すなわち、ソケット３７が締結部材を拘持する。
【００４０】
ソケット３７の向きが締結部材と一致していないときは、作業者がハンドル部１６を掴んで先端側柄本体１３ａとアタッチメント１３ｂとを、先端側柄１３の軸周りに回し、ソケット３７を図３（ｂ）又は図３（ｃ）に示すように、基端側柄１２に対して傾斜した姿勢とする。ソケット３７の向きが締結部材と一致すると、ソケット３７によって締結部材を拘持する。
【００４１】
次に、作業者が駆動側回転体２０の摘み部２３を回転操作する（回す）と、駆動側プーリー２２が周方向に回転し、無端環状体４０が周回し、従動側プーリー３２が周方向に回転し、そして、ソケット３７が回転する。すると、締結部材が軽く緩められ、又は軽く締められる。なお、作業者がグリップ部５０を軽く掴むことにより、無端環状体４０は作業者の手を擦ることなく周回する。
【００４２】
そして、作業者がグリップ部５０を強く掴むことにより、グリップ部５０が径方向に圧潰され、無端環状体４０が保持された状態となり、無端環状体４０が周回しないことから、ソケット３７が必要以上に回転せず、したがって、締結部材を必要以上に緩めたり締めたりしないようにすることができる。
【００４３】
特筆すべきは、ソケット３７が傾斜した姿勢とされていても、無端環状体４０は、捩れる状態となって周回するため、駆動側プーリー２２の回転力が従動側プーリー３２に伝達される。また、先端側柄１３を自己（１３）の軸周りに回転させ、基端側柄１２を回転させないため、駆動側回転体２０の摘み部２３を作業者が回しやすい方向に向けることができる。したがって、このソケット回転レンチは、締結部材が傾斜した姿勢であっても、作業性よく締結部材を緩めたり締めたりすることができる。
【００４４】
そして、締結部材を所定のトルクで締結するには、トルクレンチ（図示せず）を使用する。また、締結部材のサイズに合わせて、先端側柄１３のアタッチメント１３ｂが交換される。なお、締結部材のサイズに合わせて交換しない専用のソケット回転レンチとする場合は、先端側柄１３は、先端側柄本体１３ａとアタッチメント１３ｂとに分割していない一体物としてもよい。
【００４５】
〔第２の実施形態〕
ソケット回転レンチの第２の実施形態について図４及び図５を参照しながら説明する。第２の実施形態のソケット回転レンチは、延長用柄６０を前記基端側柄１３に継ぎ足して使用する。延長用柄６０は、基端側柄１２と同様、扁平なスティック状で、先端側が二股とされることで、先端側に連結用切欠部６１が形成されている。また、延長用柄６０の基端側には、連結用穴（図示せず）が形成されている。
【００４６】
そして、前記基端側柄１２の基端部に形成された軸穴と前記延長用柄６０の先端側に形成された連結用切欠部６１とには、駆動側回転体２０を転換した中間回転体７０が取り付けられる。中間回転体７０は、軸７１が駆動側回転体２０の軸よりも長く、この軸７１の一端（図面では下端）側に２個のプーリー（以下、「上側のプーリー７２ａ」、「下側のプーリー７２ｂ」という。）が隣り合って固定されている。
【００４７】
また、軸７１の中間部、すなわち上側のプーリー７２ａと基端側柄１２とに挟まれる位置には、ロックナット７５が固定され、軸７１の他端（図面では上端）に摘み部７３が固定されることで、軸７１が軸方向（図面において上下方向）に移動せず、かつ、周方向に回転するようにされている。
【００４８】
また、中間回転体７０を基端側柄１２と延長用柄６０とに着脱しやすいように、軸７１と摘み部７３とは、一体の蝶ボルトとされるが、摘み部７３は、外周面にロール目を入れた円柱体や円盤などによって構成してもよい。いずれにしても、軸７１の先端部には、袋ナットなどのナット７４が締められる。
【００４９】
一方、延長用柄６０の基端部に取り付けられる駆動側回転体２０は、前記基端側柄１２に取り付けられた駆動側回転体２０と同じである。すなわち、延長用柄６０の軸穴に駆動側回転体２０の軸２１が貫通し、ロックナット２５と摘み部２３が延長用柄６０を挟むように取り付けられる。
【００５０】
そして、駆動側プーリー２２と中間回転体７０の下側のプーリー７２ｂとに延長用無端環状体４１が架け渡される。また、延長用柄６０にも、延長用無端環状体４１を挿通するグリップ部５０が固定されている。なお、基端側柄１２と延長用柄６０とが直線状態を維持、すなわち、首振りとならないように連結するため、基端側柄１２と延長用柄６０の一方又は両方の側縁には、他方に突出する爪部（図示せず）が設けられている。
【００５１】
このような第２の実施形態のソケット回転レンチにあっては、作業者が延長用柄６０に固定されたグリップ部５０を軽く掴み、延長用柄６０に取り付けられた駆動側回転体２０の摘み部２３を回すことで、駆動側プーリー２２が回り、延長用無端環状体４１が周回し、中間回転体７０の軸７１が回ることで、上側のプーリー７２ａが回り、無端環状体４１が周回し、従動側プーリー３２が回転し、そして、ソケット３７が回転する。
【００５２】
この第２の実施形態のソケット回転レンチも、先端側柄１３を自己（１３）の軸周りに回すことで、ソケット３７を締結部材の方に向けることができる。すなわち、先端側柄１３が自己（１３）の軸周りに回されても、延長用無端環状体４１は捩れることなく周回するが、無端環状体４０は、捩れた状態となって周回するため、延長用柄６０に取り付けられた駆動側回転体２０の摘み２３を回すことで、ソケット３７を回すことができる。
【００５３】
なお、延長用柄６０を使用しないときは、延長用無端環状体４１を下側のプーリー７２ｂ及び駆動側プーリー２２から外し、延長用柄６０を中間回転体７０の軸７１から外す。延長用柄６０の先端部には二股の連結用切欠部６１が形成されていることから、延長用柄６０を中間回転体７０から容易に外すことができる。また、延長用柄６０が外されることで、ロックナット７５を締め直す。そして、中間回転体７０が駆動側回転体２０として使用される。
【００５４】
〔第３の実施形態〕
ソケット回転レンチの第３の実施形態について図６を参照しながら説明する。第３の実施形態のソケット回転レンチは、第２の実施形態と同様、延長用柄６０を継ぎ足すが、第２の実施形態のような中間回転体７０を取り付けず、無端環状体４０を延長用の長い無端環状体４２に交換する。
【００５５】
延長用柄６０は、基端側柄１２と同様、扁平なスティック状で、両端部に貫通穴（図示せず）が形成されている。延長用柄６０の先端側の貫通穴と基端側柄１２の軸穴とが連通するように延長用柄６０の先端部と基端側柄１２の基端部とが重ね合わされる。そして、この貫通穴と軸穴とに連結具６２が挿通されることで、延長用柄６０が基端側柄１２に連結される。
【００５６】
連結具６２は、蝶ボルトとナットとを組み合わせた部材によって構成されるが、着脱できる部材であれば限定しない。なお、延長用柄６０と基端側柄１２とが直線状態を維持する（首振りとならない）ように、延長用柄６０と基端側柄１２の一方又は両方の側縁には、他方に突出する爪部が設けられる。
【００５７】
そして、延長用柄６０の基端部に形成された貫通穴に、第１の実施形態において説明した駆動側回転体２０が取り付けられる。すなわち、この貫通穴に駆動側回転体２０の軸２１（図６において図示せず）が挿通される。軸が蝶ボルトであれば、ナットなどによって容易に固定することができる。軸には、当然ながら駆動側プーリー２２が固定されている。そして、駆動側プーリー２２と従動側プーリー３２との広がった間隔に一致した無端環状体４０が両プーリー２２，３２に架け渡される。
【００５８】
また、延長用柄６０にもグリップ部５０が固定され、作業者がグリップ部５０を掴み、延長用柄６０に取り付けられた駆動側回転体２０を回すことで、長くなった無端環状体４０が周回し、従動側プーリー３２が回転し、ソケット３７が回転する。この場合も、先端側柄１３を自己（１３）の軸周りに回すことで、ソケット３７を締結部材の方に向けることができる。
【００５９】
〔他の実施形態〕
なお、本発明は、前記実施の形態に限定することなく種々変更することができる。例えば、延長用柄６０は、２本以上連結することができ、また、長さの異なる複数種類をストックし、適宜、最適な長さの延長用柄６０を選択して連結するようにすることもできる。逆に、延長用柄６０を継ぎ足す必要がない使用態様にあっては、駆動側回転体２０は、基端側柄１２に着脱できないように取り付けてもよい。また、グリップ部５０も、弾性変形しない剛性のタイプを使用してもよい。
【００６０】
さらに、先端側柄１３は、ハンドル部１６を備えることなく、先端側柄本体１３ａを直接、回すようにしてもよい。また、駆動側回転体２０及び従動側回転体３０は、軸２１，３１にプーリー２２，３２を固定したものでなく、軸２１，３１に無端環状体４０を嵌め込む溝を形成したものとしてもよい。
【符号の説明】
【００６１】
１０………柄
１２………基端側柄
１３………先端側柄
１６………ハンドル部
２０………駆動側回転体
３０………従動側回転体
３７………ソケット
４０………無端環状体
４１………延長用無端環状体
５０………グリップ部
６０………延長用柄
６１………連結用切欠部
６２………連結具
７０………中間回転体
【図１】
0005918573.tif 000002
【図２】
0005918573.tif 000003
【図３】
0005918573.tif 000004
【図４】
0005918573.tif 000005
【図５】
0005918573.tif 000006
【図６】
0005918573.tif 000007